(57)【要約】【課題】室内のインターホン装置を小型化し、目立ちにくくする。【解決手段】ロビーインターホン装置１０及び／又はドアインターホン装置と接続されている室内インターホン装置２０において、室外通信部２５ａは、映像信号をロビーインターホン装置１０又はドアインターホン装置から受信し、音声信号をロビーインターホン装置１０又はドアインターホン装置と送受信する。室内通信部２５ｂはロビーインターホン装置１０又はドアインターホン装置から取得した映像信号を、登録されているテレビ装置３０に送信する。室内インターホン装置２０はモニタを搭載しない。【選択図】図２
2019033545.tif 000002
【特許請求の範囲】
【請求項１】
室外インターホン装置との間で音声信号を送受信するとともに、前記室外インターホン装置によって撮像された映像信号を受信する室外通信部と、
前記室外通信部において受信した映像信号を、登録されている映像表示装置に、有線通信により送信する室内通信部と、を有し、
モニタ非搭載であることを特徴とする室内インターホン装置。
【請求項２】
室外インターホン装置と、室内インターホン装置とを備えるインターホンシステムであって、
前記室外インターホン装置は、
来訪者を撮影するための撮像部と、
居住者と通話するための送受話部と、
映像信号を前記室内インターホン装置に送信し、音声信号を前記室内インターホン装置と送受信するための通信部と、を有し、
前記室内インターホン装置はモニタ非搭載であり、
前記室外インターホン装置から映像信号を受信し、音声信号を前記室外インターホン装置と送受信するための室外通信部と、
前記室外インターホン装置から取得した映像信号を、登録されている映像表示装置に、有線通信により送信する室内通信部と、
を有することを特徴とするインターホンシステム。
【請求項３】
室外インターホン装置と、モニタ非搭載の室内インターホン装置と、モニタ非搭載のハンズフリー端末装置とを備えるインターホンシステムであって、
前記室外インターホン装置は、
来訪者を撮影するための撮像部と、
居住者と通話するための送受話部と、
映像信号を前記室内インターホン装置に送信し、音声信号を前記室内インターホン装置と送受信するための通信部と、を有し、
前記室内インターホン装置は、
前記室外インターホン装置から映像信号を受信し、音声信号を前記室外インターホン装置と送受信するための室外通信部と、
前記室外インターホン装置から取得した映像信号を、有線通信により映像表示装置に送信し、前記室外インターホン装置から取得した音声信号を室内に設置された前記ハンズフリー端末装置に、有線通信により送信し、当該ハンズフリー端末装置から音声信号を受信する室内通信部と、
を有することを特徴とするインターホンシステム。
【請求項４】
室外インターホン装置との間で音声信号を送受信するとともに、前記室外インターホン装置によって撮像された映像信号を受信する室外通信部と、
前記室外通信部において受信した映像信号を、登録されている映像表示装置に、無線ＬＡＮルータを介して送信する室内通信部と、を有し、
モニタ非搭載であることを特徴とする室内インターホン装置。
【発明の詳細な説明】
【技術分野】
【０００１】
本発明は、マンション内の住戸などに設置される室内インターホン装置、室内インターホン装置と室外インターホン装置を備えるインターホンシステムに関する。
【背景技術】
【０００２】
近年、ロビーやドアに設置される室外のインターホン装置にカメラを搭載し、来訪者を撮影した映像を、室内のインターホン装置のモニタで確認できるインターホンシステムが普及してきている。大画面カラー液晶ディスプレイを搭載し、来訪者の映像を鮮明に表示できるタイプも販売されている。
【先行技術文献】
【特許文献】
【０００３】
【特許文献１】特開２００３−３２３６８５号公報
【発明の概要】
【発明が解決しようとする課題】
【０００４】
インターホン装置に大型のディスプレイを搭載すると映像の視認性が向上するが、インターホン装置が大型化し、室内において目立つ存在となる面もある。
【０００５】
本発明はこうした状況に鑑みなされたものであり、その目的は、室内のインターホン装置を小型化し、目立ちにくくする技術を提供することにある。
【課題を解決するための手段】
【０００６】
上記課題を解決するために、本発明のある態様の室内インターホン装置は、室外インターホン装置との間で音声信号を送受信するとともに、前記室外インターホン装置によって撮像された映像信号を受信する室外通信部と、前記室外通信部において受信した映像信号を、登録されている映像表示装置に、有線通信により送信する室内通信部と、を有する。当該室外インターホン装置はモニタ非搭載である。
【０００７】
なお、以上の構成要素の任意の組み合わせ、本発明の表現を方法、装置、システムなどの間で変換したものもまた、本発明の態様として有効である。
【発明の効果】
【０００８】
本発明によれば、室内のインターホン装置を小型化し、目立ちにくくできる。
【図面の簡単な説明】
【０００９】
【図１】本発明の実施の形態に係るインターホンシステムの構成を示す図である。
【図２】図１のロビーインターホン装置、室内インターホン装置及びテレビ装置の構成を示すブロック図である。
【図３】本発明の実施の形態に係るインターホンシステムにおいて、呼出から通話開始までの処理の一例を示すフローチャートである。
【図４】住戸内に複数のテレビ装置が設置される場合の例を説明するためのブロック図である。
【図５】本発明の実施の形態に係るインターホンシステム（ハンズフリー端末装置を含む）の構成を示す図である。
【発明を実施するための形態】
【００１０】
図１は、本発明の実施の形態に係るインターホンシステム１の構成を示す図である。本実施の形態ではインターホンシステム１をマンションに設置する例を想定する。インターホンシステム１はロビーインターホン装置１０、室内インターホン装置２０、テレビ装置３０、ドアインターホン装置５０及び制御装置６０を備える。
【００１１】
ロビーインターホン装置１０はロビーに設置された室外のインターホン装置であり、来訪者は部屋番号を入力して、訪問先の室内インターホン装置２０を発呼する。制御装置６０は機械室や管理人室などの共用スペースに設置される。制御装置６０はロビーインターホン装置１０と室内インターホン装置２０との間の信号を中継する。ドアインターホン装置５０は住戸玄関に設置される。室内インターホン装置２０及びテレビ装置３０は住戸内に設置される。
【００１２】
なお図１では単純化するため１つの住戸しか描いていないが、実際には多数の住戸が存在し、制御装置６０は複数の室内インターホン装置２０とロビーインターホン装置１０との間を中継する。また制御装置６０は分電盤や各種のセンサに接続されており、火災などの異常が発生した際、各住戸の室内インターホン装置２０にアラート信号を送信する。
【００１３】
図２は、図１のロビーインターホン装置１０、室内インターホン装置２０及びテレビ装置３０の構成を示すブロック図である。図２では説明を単純化するために、中継装置としての制御装置６０は無視して考える。
【００１４】
ロビーインターホン装置１０は撮像部１１、操作部１２、送受話部１３、制御部１４及び通信部１５を備える。送受話部１３はマイク１３ａ及びスピーカ１３ｂを含む。室内インターホン装置２０は操作部２２、送受話部２３、制御部２４及び通信部２５を備える。送受話部２３はマイク２３ａ及びスピーカ２３ｂを含む。通信部２５は室外通信部２５ａ及び室内通信部２５ｂを含む。テレビ装置３０はスピーカ３３、制御部３４、通信部３５、赤外線受光部３６及び表示部３８を備える。またテレビ装置３０にはリモコン装置３７が付属している。
【００１５】
ロビーインターホン装置１０の撮像部１１は、来訪者を撮影するためのものであり、ＣＣＭＯＳイメージセンサ、ＣＣＤイメージセンサ等の固体撮像素子を備える。当該固体撮像素子は光電変換した映像信号を制御部１４に出力する。
【００１６】
操作部１２は来訪者の操作を受け付けるためのユーザインタフェースである。具体的には、部屋番号を入力するためのテンキーボタン、呼出ボタンを備える。送受話部１３は、来訪者が居住者と通話するためのユーザインタフェースである。マイク１３ａは来訪者の声を集音し、電気信号に変換して制御部１４に出力する。スピーカ１３ｂは、室内インターホン装置２０から取得された音声信号を再生して音声出力する。制御部１４はロビーインターホン装置１０全体を制御する。通信部１５は映像信号および音声信号を室内インターホン装置２０と送受信するための通信インタフェースである。なお映像信号はロビーインターホン装置１０から室内インターホン装置２０への片方向通信である。
【００１７】
室内インターホン装置２０の操作部２２は居住者の操作を受け付けるためのユーザインタフェースである。具体的には通話ボタン、解錠ボタンを備える。その他に非常ボタン、警報音停止ボタン等を備えることができる。送受話部２３は、居住者が来訪者と通話するためのユーザインタフェースである。マイク２３ａは居住者の声を集音し、電気信号に変換して制御部２４に出力する。スピーカ２３ｂは、ロビーインターホン装置１０から取得された音声信号を再生して音声出力する。
【００１８】
本実施の形態では受話器を設けずにハンズフリーで通話することを想定する。高感度のマイク２３ａとスピーカ２３ｂを使用することにより、室内インターホン装置２０から離れた位置での通話を可能にする。
【００１９】
制御部２４は室内インターホン装置２０全体を制御する。室外通信部２５ａは映像信号および音声信号をロビーインターホン装置１０と送受信するための通信インタフェースである。室内通信部２５ｂはロビーインターホン装置１０から取得した映像信号をテレビ装置３０に送信するための通信インタフェースである。
【００２０】
テレビ装置３０の通信部３５は、室内インターホン装置２０から映像信号を受信するための通信インタフェースである。例えば室内インターホン装置２０とテレビ装置３０との間は、無線ＬＡＮ、有線ＬＡＮ、ＨＤＭＩ（登録商標）ケーブルで接続される。またＰＬＣ (Power Line Communication)を用いてもよい。室内に無線ＬＡＮルータが設置されており、当該ルータにテレビ装置３０が既に無線接続されている場合、当該ルータに室内インターホン装置２０を無線接続することにより、室内インターホン装置２０とテレビ装置３０を無線接続できる。
【００２１】
表示部３８は、制御部３４から供給される映像信号を再生して画像を表示する。スピーカ３３は、制御部３４から供給される音声信号を再生して音声出力する。赤外線受光部３６は、リモコン装置３７からの赤外線信号を受光して制御部３４に出力する。
【００２２】
室内インターホン装置２０の制御部２４は室内通信部２５ｂを介して、テレビ装置３０と制御信号の双方向通信を実行する。当該制御信号として例えば、テレビ装置３０の電源制御信号を送受信することができる。テレビ装置３０がブラウザ機能を搭載している機種の場合、ブラウザで制御信号の送受信を制御する。ブラウザ機能を搭載していない機種の場合、室内インターホン装置２０との制御信号の送受信を制御するアダプタ装置を外付けすればよい。以下の説明ではブラウザ機能を搭載しているテレビ装置３０を想定する。なお制御信号は映像信号と別のチャンネルで通信されてもよい。例えば制御信号は赤外線通信で行ってもよい。
【００２３】
室内インターホン装置２０の制御部２４は、テレビ装置３０の制御部３４から定期的にテレビ装置３０の電源状態を取得する。電源状態にはオン状態、オフ状態がある。またスタンバイ状態がある機種もある。
【００２４】
室内インターホン装置２０の制御部２４は、室外通信部２５ａを介してロビーインターホン装置１０から呼出信号を受信したとき、テレビ装置３０の電源がオフ又はスタンバイ状態の場合、室内通信部２５ｂを介してテレビ装置３０に、電源オンを指示する制御信号を送信する。
【００２５】
居住者は、室内インターホン装置２０のスピーカ２３ｂから音声出力された呼出音を聞き、テレビ装置３０に表示された来訪者の映像を見て、応答するか否か決定する。応答する場合、室内インターホン装置２０の操作部２２に設けられる通話（受話）ボタンを押して、通話を開始する。来訪者を住戸に招き入れる場合、解錠ボタンを押して解錠する。
【００２６】
上記の対応をするには居住者は、室内インターホン装置２０の設置場所に赴く必要がある。リビングでテレビ装置３０を視聴していた場合、リビングにいながら対応できたほうが便宜である。以下、テレビ装置３０が設置されている部屋で呼出に対する応答を可能とする方法を説明する。まずリモコン装置３７で呼出に対する応答を可能とするアプリケーションプログラムをテレビ装置３０にインストールする。
【００２７】
テレビ装置３０の制御部３４は、室内インターホン装置２０から呼出信号を受信すると、通話ボタンのアイコン及び解錠ボタンのアイコンを表示部３８に表示させる。居住者はリモコン装置３７を操作して通話開始操作を行うことができる。また解錠操作も行うことができる。また応答しない場合に、表示部３８に表示された来訪者の映像を消す操作も行うことができる。制御部３４は赤外線受光部３６を介して  リモコン装置３７から通話開始操作信号または解錠操作信号を受けると、当該操作信号に基づく制御信号を室内インターホン装置２０に送信する。テレビ装置３０から通話開始を指示する制御信号を受信すると、室内インターホン装置２０の制御部２４は、ロビーインターホン装置１０と室内インターホン装置２０との間で通話チャンネルを確立する。その後、居住者はハンズフリーでロビーにいる来訪者と通話する。
【００２８】
また室内インターホン装置２０の設置場所に赴く必要をなくすため、居住者が音声認識により室内インターホン装置２０を操作できてもよい。室内インターホン装置２０の制御部２４は、ロビーインターホン装置１０から呼出信号を受信すると音声認識モードに遷移する。その状態で居住者が発声するとマイク２３ａが音声取得して制御部２４に出力する。制御部２４はマイク２３ａで取得した音声データと、予め登録されている音声データ（例えば、「はーい」、「開けてください」といったフレーズの音声データ）と照合し、一致した音声データが存在する場合、その音声データに紐付けられている操作を実行する。
【００２９】
図３は、本発明の実施の形態に係るインターホンシステム１において、呼出から通話開始までの処理の一例を示すフローチャートである。来訪者がロビーでロビーインターホン装置１０の呼出ボタンを押すと（Ｓ１０のＹ）、呼出信号が室内インターホン装置２０に送信される。室内インターホン装置２０の制御部２４はテレビ装置３０の電源状態を確認する（Ｓ１１）。電源がオフ又はスタンバイ状態のとき（Ｓ１１のＮ）、制御部２４はテレビ装置３０に電源オンを指示する制御信号を送信する（Ｓ１２）。
【００３０】
テレビ装置３０の電源がオン状態のとき（Ｓ１１のＹ）、又は上記制御信号を受けてテレビ装置３０が電源オンした後、室内インターホン装置２０の制御部２４はロビーインターホン装置１０から送信されてくる来訪者の映像信号をテレビ装置３０に転送する（Ｓ１３）。室内インターホン装置２０の制御部２４は映像信号を転送するとともに、テレビ装置３０にスピーカ３３から呼出音を出力させる制御信号を送信する（Ｓ１４）。
【００３１】
この制御信号は呼出音の音声データを送るものではなく、予めテレビ装置３０に保持した呼出音の音声データの再生指示信号である。なおテレビ装置３０からの呼出音の出力と、室内インターホン装置２０からの呼出音の出力は両方行ってもよいし、いずれか一方でもよい。
【００３２】
呼出音が鳴ってから設定期間が経過するまでの間（Ｓ１５のＮ）、室内インターホン装置２０の制御部２４は通話開始操作を待つ（Ｓ１８）。通話開始操作がなされずに設定期間が経過した場合（Ｓ１５のＹ、Ｓ１８のＮ）、制御部２４はステップＳ１２の処理を発動したことによりテレビ装置３０の電源をオンしたか否か確認する（Ｓ１６）。ステップＳ１２の処理を発動していた場合（Ｓ１６のＹ）、制御部２４はテレビ装置３０に電源オフ又はスタンバイを指示する制御信号を送信する（Ｓ１７）。居住者が留守かテレビ装置３０を視聴していない状態であるため、設定期間を経過した後はテレビ装置３０の電源をオフ又はスタンバイにしたほうがよい。一方、ステップＳ１２の処理が発動していない場合（Ｓ１６のＮ）、ステップＳ１７の処理をスキップする。居住者がテレビ装置３０を視聴しているが意図的に応答しなかった場合であり、テレビ装置３０の電源を自動的にオフ又はスタンバイにしないほうがよい。
【００３３】
呼出音が鳴ってから設定期間が経過する前に（Ｓ１５のＮ）、通話開始操作がなされた場合（Ｓ１８のＹ）、室内インターホン装置２０の制御部２４は、ロビーインターホン装置１０との通話チャンネルを確立する（Ｓ１９）。
【００３４】
これまでの説明では、住戸内にテレビ装置３０が１台設置されている状況を想定したが、住戸内に複数のテレビ装置３０が設置されている場合もある。
【００３５】
図４は、住戸内に複数のテレビ装置３０が設置される場合の例を説明するためのブロック図である。図４には部屋Ａに第１テレビ装置３０ａ、第２テレビ装置３０ｂが設置され、部屋Ｂに第３テレビ装置３０ｃが設置され、部屋Ｄに第４テレビ装置３０ｄが設置される例を描いている。
【００３６】
室内インターホン装置２０の制御部２４に、来訪者の映像信号を送信するテレビ装置３０を予め登録する。通常はどの部屋にいる居住者も来訪者の顔を確認できるように、住戸に設置された全てのテレビ装置３０を登録する。また、通話開始後に映像信号を送信する特定のテレビ装置３０を登録できる。通常、室内インターホン装置２０が設置された位置に最も近い位置に設置されたテレビ装置３０を登録する。図４に示した例では、室内インターホン装置２０に最も近い位置に設置された第１テレビ装置３０ａを登録する。
【００３７】
また、通話開始指示または解錠操作指示を受け付けるテレビ装置３０を登録できる。それ以外のテレビ装置３０は映像表示はできるが、リモコン装置３７からの通話開始などの操作は無効となる。即ち室内インターホン装置２０の制御部２４は、住戸内の複数のテレビ装置３０の内、登録されているテレビ装置３０からの通話開始操作信号または解錠操作信号を有効とし、登録されていないテレビ装置３０からの通話開始操作信号または解錠操作信号を無効とする。この場合、マイク２３ａまで声が届かない部屋に設置されたテレビ装置３０に付属するリモコン装置３７で通話開始操作がなされることを防止できる。このリモコン装置３７で通話開始操作がなされた場合、ハンズフリー通話が可能な位置まで移動する必要が発生する。
【００３８】
室内インターホン装置２０の制御部２４は、ロビーインターホン装置１０から取得した映像信号を室内通信部２５ｂを介して、登録されている全てのテレビ装置３０に送信する。通話開始操作が開始されると、登録されている１つのテレビ装置３０に映像信号を送信し、他のテレビ装置３０への映像信号の送信を無効とする。この処理例は、通話開始後に映像信号を送信する１台のテレビ装置３０を登録している場合を想定している。なお通話開始後に映像信号を送信するテレビ装置３０を複数登録することも可能である。なお無線ＬＡＮで映像信号を送信している場合、映像信号を受信しないよう他のテレビ装置３０に指示する制御信号を送信する。
【００３９】
また制御部２４は、いずれかのテレビ装置３０から通話開始操作信号を受けた際、当該テレビ装置３０に映像信号を送信し、他のテレビ装置３０への映像信号の送信を無効とする。この処理例は、通話開始後に映像信号を送信する１台のテレビ装置３０を登録していない場合を想定している。即ち、複数のテレビ装置３０が通話開始操作を行うことが可能な例を想定している。いずれの場合も通話開始操作を行った居住者は、当該操作がなされたリモコン装置３７とペアのテレビ装置３０で来訪者の映像を見ていると推定できる。従って他のテレビ装置３０への映像送信は不要と判断できるため、通話開始操作がなされた後は他のテレビ装置３０への映像送信を終了する。
【００４０】
これまでの説明では、居住者は室内インターホン装置２０の送受話部２３を使用してハンズフリー通話することを想定したが、室内インターホン装置２０と居住者の位置が大きく離れている場合、声が届かないときがある。例えば室内インターホン装置２０が設置されている玄関と、テレビ装置３０が設置されているリビングとの距離が離れている場合が典型例である。その対策として室内インターホン装置２０と独立したハンズフリー端末装置４０を、テレビ装置３０が設置されている部屋の壁などに設置する。
【００４１】
図５は、本発明の実施の形態に係るインターホンシステム１（ハンズフリー端末装置４０を含む）の構成を示す図である。図５に示すインターホンシステム１は、図１に示したインターホンシステム１にハンズフリー端末装置４０が追加された構成である。ハンズフリー端末装置４０は高感度のマイクとスピーカを備える。ハンズフリー端末装置４０は室内インターホン装置２０と有線または無線で接続される。ハンズフリー端末装置４０は、インターホン親機に対する子機と異なり受話器およびモニタは搭載していない。壁の中に埋め込むことが可能な小型の装置である。本実施の形態では、テレビ装置３０が設置された部屋の壁に埋め込まれて設置される例を想定する。
【００４２】
室内インターホン装置２０の制御部２４は、ロビーインターホン装置１０から取得した音声信号を室内に設置されたハンズフリー端末装置４０に送信し、ハンズフリー端末装置４０から取得した音声信号をロビーインターホン装置１０に送信する。室内インターホン装置２０本体に搭載された送受話部２３と、ハンズフリー端末装置４０は通話開始操作がなされた場所により使い分けることができる。
【００４３】
室内インターホン装置２０の操作部２２に設置された通話ボタンが押された場合、制御部２４は室内インターホン装置２０本体に搭載された送受話部２３を有効とし、ハンズフリー端末装置４０を無効とする。一方、テレビ装置３０のリモコン装置３７に対して通話開始操作がなされた場合、制御部２４は室内インターホン装置２０本体に搭載された送受話部２３を無効とし、ハンズフリー端末装置４０を有効とする。
【００４４】
なお室内インターホン装置２０に送受話部２３を設けない設計も可能である。この場合、通話ボタン及び解錠ボタンも省略できる。モニタ、マイク、スピーカ、通話ボタン及び解錠ボタンを搭載しないため室内インターホン装置２０を大幅に小型化できる。またハンズフリー端末装置４０を設けずに室内インターホン装置２０自体を、テレビ装置３０が設置された部屋の壁に設置してもよい。
【００４５】
以上の説明ではロビーインターホン装置１０と室内インターホン装置２０との間の処理を説明したが、ドアインターホン装置５０と室内インターホン装置２０との間も同様に処理できる。なお集合住宅に設置されるインターホンシステム１であっても、小規模なマンション又はアパートでは、ロビーインターホン装置１０が設けられない場合がある。また反対にマンションの作りによっては、ドアインターホン装置５０が設けられない場合もある。
【００４６】
以上の説明ではマンションに設置されるインターホンシステム１を説明したが、戸建てに設置されるインターホンシステム１にも同様に適用できる。戸建てに設置されるインターホンシステム１では、ロビーインターホン装置１０及び制御装置６０が設けられない。上述の説明における処理は全てドアインターホン装置５０と室内インターホン装置２０との間で行われる。
【００４７】
以上説明したように本実施の形態によれば、室内インターホン装置２０にモニタを搭載しないため小型化でき、目立ちにくくすることができる。またモニタを搭載しないため、室内インターホン装置２０全体を自由な色に着色でき、インテリアの統一感を図ることができる。またモニタを搭載しないことにより、その分のコストを低減できる。なおモニタを搭載しなくても警報ランプ（例えばＬＥＤランプ）を搭載すれば、消防庁が規定する検定に合格することが可能である。
【００４８】
また電子機器の中でもテレビは最も普及率が高く、既存の装置を有効活用できる。専用機としてのインターホン子機は不要である。またテレビはＰＣ、タブレットと比較して画面が大きいため来訪者の映像を確認しやすい。またテレビのリモコン操作は高齢者でも抵抗が少なく高齢者にも受け入れられやすい。
【００４９】
以上、本発明を実施の形態をもとに説明した。実施の形態は例示であり、それらの各構成要素や各処理プロセスの組み合わせにいろいろな変形例が可能なこと、またそうした変形例も本発明の範囲にあることは当業者に理解されるところである。
【００５０】
例えば室内インターホン装置２０とテレビ装置３０が接続されていない場合、室内インターホン装置２０の制御部２４は、テレビ装置３０が接続されていない旨を居住者に報知してもよい。例えばＬＥＤランプを点灯させるか、スピーカ２３ｂからメッセージを送出する。これにより居住者が気付かないうちに、室内インターホン装置２０とテレビ装置３０との接続が解除された状態が継続することを防止できる。
【００５１】
また室内インターホン装置２０にテレビ装置３０が接続されていない場合、制御部２４はロビーインターホン装置１０から取得した映像信号をテレビ装置３０に転送しない。これにより室内通信部２５ｂの消費電力を低減できる。特に無線を使用している場合、消費電力の節約効果が大きくなる。
【００５２】
また室内インターホン装置２０にテレビ装置３０が接続されていない場合、制御部２４はスピーカ２３ｂから呼出音を出力しない。来訪者の映像を確認できない場合、来訪者に応対しない設定が可能になる。
【００５３】
また室内インターホン装置２０にテレビ装置３０が接続されていない場合、制御部２４は、「しばらくお待ちください」といった固定メッセージをスピーカ１３ｂから送出するようロビーインターホン装置１０に指示する。この場合、テレビ装置３０が室内インターホン装置２０に接続されるまで、来訪者に待ってもらうことができる。
【００５４】
また室内インターホン装置２０にテレビ装置３０が接続されていない場合、制御部２４は制御装置６０に、テレビ装置３０が接続されていない旨の情報を送信する。制御装置６０は、室内インターホン装置２０にテレビ装置３０が接続されていないとき、ロビーインターホン装置１０から取得した映像信号を室内インターホン装置２０に中継しない。音声信号は通常通り中継する。これにより制御装置６０と室内インターホン装置２０を接続している幹線のトラフィック量を削減できる。
【００５５】
またロビーインターホン装置１０の撮像部１１の解像度と、テレビ装置３０の表示部３８の解像度が異なる場合、制御部２４はロビーインターホン装置１０から取得した映像信号の解像度を表示部３８の解像度に変換してテレビ装置３０に送信する。テレビ装置３０にモニタサイズに応じた映像を送信することにより、画面ズレ等の表示不具合の発生を抑えることができる。
【００５６】
また室内インターホン装置２０は居住者の不在時にロビーインターホン装置１０から取得した映像信号を記録するための記録媒体（例えばＳＳＤ、ＨＤＤ）を備えてもよい。居住者の帰宅後に再生指示操作がなされると、制御部２４は当該記録媒体から映像信号を読み出してテレビ装置３０に転送する。これにより居住者は不在時の来訪者の映像を確認できる。
【００５７】
以上の説明では室内インターホン装置２０が、ロビーインターホン装置１０から取得した映像信号を転送する転送先としてテレビ装置３０を使用する例を説明した。この点、映像を表示できるディスプレイを備える映像表示装置であればテレビ装置３０に限るものではない。ＰＣ（デスクトップ型でもノートブック型でもよい）、タブレット、スマートフォン、携帯型ゲーム機、携帯型音楽プレーヤを転送先の映像表示装置として使用できる。また転送先の映像表示装置として、プロジェクタ等の投射型の映像表示装置を使用することもできる。壁等を投影面として使用する場合、投射型の映像表示装置を使用していない状態では投影面を通常の壁として使用できるため、室内空間を有効に活用できる。また様々な種類の映像表示装置を転送先として室内インターホン装置２０に登録することもできる。例えばリビングはテレビ装置、書斎はＰＣ、子供部屋は携帯型ゲーム機と登録することも可能である。
【符号の説明】
【００５８】
１  インターホンシステム、  １０  ロビーインターホン装置、  １１  撮像部、  １２  操作部、  １３  送受話部、  １３ａ  マイク、  １３ｂ  スピーカ、  １４  制御部、  １５  通信部、  ２０  室内インターホン装置、  ２２  操作部、  ２３  送受話部、  ２３ａ  マイク、  ２３ｂ  スピーカ、  ２４  制御部、  ２５  通信部、  ２５ａ  室外通信部、  ２５ｂ  室内通信部、  ３０  テレビ装置、  ３３  スピーカ、  ３４  制御部、  ３５  通信部、  ３６  赤外線受光部、  ３７  リモコン装置、  ３８  表示部、  ４０  ハンズフリー端末装置、  ５０  ドアインターホン装置、  ６０  制御装置。
【産業上の利用可能性】
【００５９】
本発明は、マンションに設置されるインターホンシステムに利用可能である。
【図１】
2019033545.tif 000003
【図２】
2019033545.tif 000004
【図３】
2019033545.tif 000005
【図４】
2019033545.tif 000006
【図５】
2019033545.tif 000007